Podtech/llm-jp-corpus-v4-ja_patent huggingface dataset:
(57)【要約】      （修正有）【課題】外周、若しくは外周及び表面に造形を施しても破損しにくい、略平面状の反射板を提供する。【解決手段】反射板１は、略平面状の合成樹脂製鏡板を用いることにより、合成樹脂製鏡板は、一般のガラスに比べ耐衝撃値が高いことから、外周、若しくは外周及び表面に造形を施し、各種ストラップ３に吊下げ保持し携帯しても、破損しにくいことを特徴としている。【選択図】図１
2016043235.tif 000002
【特許請求の範囲】
【請求項１】
略平面状の合成樹脂製鏡板の外周、若しくは外周及び表面に造形を施し、各種ストラップに吊下げ保持し携帯可能にした反射板。
【発明の詳細な説明】
【技術分野】
【０００１】  この発明は、反射板に関するものである。
【背景技術】
【０００２】  従来の反射板には、外周、若しくは外周及び表面に造形を施し、各種ストラップに吊下げ保持し携帯可能としたものは存在しなかった。
【発明の開示】
【発明が解決しようとする課題】
【０００３】  反射板の素材はガラスが大半であり、外周、若しくは外周及び表面に造形を施すと、耐衝撃値の低いガラスは破損し易く、破片により身体を負傷する等の危険があった。
【課題を解決するための手段】
【０００４】  上記課題を解決するために、請求項１に記載の反射板は、略平面状の合成樹脂製鏡板を用いることにより、合成樹脂製鏡板は、一般のガラスに比べ耐衝撃値が高いことから、外周、若しくは外周及び表面に造形を施し、各種ストラップに吊下げ保持し携帯しても、破損しにくく、破片により身体を負傷する危険も少ない反射板が得られることを特徴としている。
【発明の効果】
【０００５】  請求項１に記載の反射板は、略平面状の合成樹脂製鏡板の外周、若しくは外周及び表面に造形を施し、各種ストラップに吊下げ保持し携帯可能としており、合成樹脂製鏡板は、一般のガラスに比べ耐衝撃値が高く、各種ストラップに吊下げ携帯しても破損しにくく、破片により身体を負傷する危険が少ない反射板を得られることから、合成樹脂製鏡板に動物や人形等を造形することにより、この形状も楽しむことができ、更に、この反射板を各種ストラップの先端に吊り下げ外部から目視できる様にすることによって、各種の光源を反射し注視することが可能となり、外出時の外部からの接触や衝突事故等の回避の一助とすることが可能となる。
【発明を実施するための最良の形態】
【０００６】  以下、本発明の反射板について図面を参照し説明する。
図１は、本発明の請求項１における第１の実施例において外周に動物の形を造形した反射板（１）であり、反射板（１）に設けられた孔（２）を介して、ストラップ（３）に吊下げ保持されている状態を示す正面図である。
図２は図１の左側面図であり、請求項１の反射板（１）が略平面状であることを示している。
図３は、本発明の請求項１における第２の実施例において外周及び表面に造形を施した反射板（１ａ）の正面図であり、表面には反射板（１ａ）の板厚より浅い刻線（４）、（４ａ）、（４ｂ）、（４ｃ）が刻まれている。
【図面の簡単な説明】
【０００７】
【図１】  本発明の請求項１の第１の実施例を示す正面図。
【図２】  本発明の請求項１の第１の実施例を示す左側面図。
【図３】  本発明の請求項１の第２の実施例を示す正面図。
【符号の説明】
【０００８】１、１ａ  反射板
２、２ａ  孔
３、３ａ  ストラップ
４、４ａ、４ｂ、４ｃ  刻線
【図１】
2016043235.tif 000003
【図２】
2016043235.tif 000004
【図３】
2016043235.tif 000005
(57)【要約】【課題】近年、ネットバンクの取引認証用アプリが普及してきているが、初期登録時、パスワード認証のため安全性に課題があった。【解決手段】  本発明は、アプリのインストール時、パスワード認証の代わりに、音声通話を利用して本人認証をすることにより、上記課題を解決する。まず利用者は口座開設時、申込書類などに電話番号を書き電話番号を登録する。銀行側からＩＤなどを記載されたものが郵送されてくる。認証用アプリをインストール時、ＩＤを入力すると、アプリに電話番号が表示され、これをクリックすると、認証サーバに発信者番号が送信され、正しい発信者番号の場合、インストールが完了する。例え、ＩＤ・パスワードが盗まれたとしても、認証アプリをなりすまして登録できない。【特許請求の範囲】
【請求項１】
アプリケーションのインストール時、予め登録した電話番号からの（１）発信者番号通知、（２）ＳＭＳの送信、（３）ＳＭＳの受信、（４）その番号への着信応答をもって、本人認証を完了することを特徴とする方法
【発明の詳細な説明】
【技術分野】  本発明は、スマートフォンやＰＣへの安全なアプリのインストール方法に関する。
【背景技術】  近年、ネットバンクの取引認証用アプリが普及してきているが、初期登録時、パスワード認証のため安全性に課題があった。
【発明の概要】
【発明が解決しようとする課題】  本発明は、アプリのインストール時、パスワード認証の代わりに、音声通話を利用して本人認証をすることにより、上記課題を解決する。まず利用者は口座開設時、申込書類などに電話番号を書き電話番号を登録する。銀行側からＩＤなどを記載されたものが郵送されてくる。認証用アプリをインストール時、ＩＤを入力すると、アプリに電話番号が表示され、これをクリックすると、認証サーバに発信者番号が送信され、正しい発信者番号の場合、インストールが完了する。
【発明の効果】  例え、ＩＤ・パスワードが盗まれたとしても、認証アプリをなりすまして登録できない。
【発明を実施するための形態】
【実施例１】（１）利用者は、ネットバンクに電話番号などを書いた申込書を郵送する。
（２）ネットバンクは、利用者にＩＤを返送する（パスワードは任意）
（３）利用者は、認証アプリをスマートフォンにダウンロードし、ＩＤを入力すると、Ｉ      Ｄがサーバに送信される。
（４）同時に、認証アプリに、認証サーバの電話番号が表示され、これをクリックすると      、スマートフォンは音声通話モードになる。
（５）認証サーバは、発信者番号を検知し、ＩＤに対応したものならば、認証成功として      、アプリに本人認証成功信号を送信する
（６）認証アプリは、インストール作業を完了する
なお、発信者番号認証以外にも、ＳＭＳの受信もしくは送信、サーバからスマホに音声通話をすることにより、同等の効果を産むことも可能。
(57)【要約】【課題】静電容量式のタッチパネルを搭載した電子機器を使用する際、従来は手袋を装着した状態では操作ができなかった。指先に導電素材で加工したタッチパネル操作ができる手袋も商品化されてはいるが、あくまでも専用品であり製造には専用の設備と材料・複雑な工程が必要であり既存のニット製手袋に簡易に加工できる素材が求められている。【解決手段】印刷用の着色済みPVCゾルに添加剤を加えることによって従来は絶縁体であった印刷用PVCに導電性を持たせ、既存のニット製手袋での静電容量式タッチパネルの操作を可能にする。【選択図】なし【特許請求の範囲】
【請求項１】
印刷用PVCに導電性を付与し、服飾の名入れ・印刷面に静電容量式タッチパネルの操作性を持たせる。
【発明の詳細な説明】
【発明の概要】
【発明が解決しようとする課題】
【０００１】
静電容量式のタッチパネルを搭載した電子機器を使用する際、従来は手袋を装着した状態では操作ができなかった。
指先に導電素材で加工したタッチパネル操作ができる手袋も商品化されてはいるが、あくまでも専用品であり製造には専用の設備と材料・複雑な工程が必要であり既存のニット製手袋に簡易に加工できる素材が求められている。
【課題を解決するための手段】
【０００２】
印刷用の着色済みPVCゾルに添加剤としてトリフルオロメタンスルホン酸リチウムを加えることによって従来は絶縁体であった印刷用PVCに導電性を持たせ、既存のニット製手袋での静電容量式タッチパネルの操作を可能にする。
【産業上の利用可能性】
【０００３】
ニット製手袋の指先等に任意の意匠で加工しつつタッチパネル操作を可能にする。
その際に新規の設備や特殊な工程を必要とせず、既存の設備において従来の工法を用いて製造することができる。
またこの印刷用PVCを用いれば手袋に限らず繊維素材の服飾のデザイン面にタッチパネルの操作性を付与することが可能になる。
(57)【要約】      （修正有）【課題】燃費がかからず、公害をださずに発電をするために空気と水の浮力を利用して、磁石をまわし外側に巻いたコイルに反応させて電気起こそうとする発電機を提供する。【解決手段】水中で発電するために、水取入れ口１をラッパ状にして水を多く取入れ打ち寄せる波に押されて細くなった部分の水をいきよい良く噴出させ浮体物回転体２をいきおい良く回そうとするもので、水排出口の輪の何ヶ所かに穴を開け、輪の外側にゴム制のふた左右の片方だけ取り付けておくこうしておけば中の水は排出し引き潮のときは水は入らず外を流れていく。海中であるのて感電しないようコイル５はコウデネイトが必要である。【選択図】図２
2016111900.tif 000002
【特許請求の範囲】
【請求項１】
陸上における浮体物の発電機
【請求項２】
水中における浮体物の発電機
請求項１  および  請求項２  ともに浮体物が回転しよって発電のエネルギー源になる部分が私の技術的な権利です。
【発明の詳細な説明】
【技術分野】
【０００１】  この発明は水だけで発電をしようとするものである。理論上は水は減らないし永久に発電でき、コストは、かからないのである。
【背景技術】
【０００２】  発電のための燃料は、世界中で取り合いとなり、紛争の原因となっておりますが、その様な争いに一石をとうじたいと思います。はじめは規模が小さく問題にならかも知らないが電気はただで手に入ること知れば資源の取り合いが縮小するであろう。本考案は規模を大きくすれば大きな電力を得ることが可能である。
【先行技術文献】
【０００３】
【発明の概要】
【発明が解決しようとする課題】
【０００４】  発電にはつぎのような短所がある。
［イ］火力発電は地球温暖化の原因になるばかりか石油等の値上がりは電気料金にはねかえる。また国際紛争の原因になる。
［ロ］水力発電は生物の生態系に問題を残す。
［ハ］風力発電は水力発電と同じく鳥等に影響があるほか人間にも騒音の影響がある。
［ニ］太陽熱発電の場合は天候に左右されるし、設置の場所およびコストが高くつくのである。
［ホ］浮体物の場合は（イ）〜（ニ）の電力不足を解決するには役不足であろうが、自分で使うには小規模で、必要に応じて大規模な発電も可能である
本発明は以上のような問題を解決するためになされたものである。
【課題を解決するため手段】
【０００５】
【図１】
説明
［イ］最初に、空気取入れ口に風車を取りつけ、空気を逃がさないようにするためのカバーを取り付ける。
［ロ］空気を、浮体物の回転体に送るために、パイプ様の物かゴムホースで空気を送る。
［ハ］パイプの先端には水が逆流しないよう虫ゴム様のものを取り付ける。
［ニ］次に浮体物回転体に入った空気は、釣鐘様のもっと浅い空気うけ皿に受けられる。
［ホ］浮体物回転体はそれぞれ細い鎖ようの物で、それぞれの釣鐘様の皿は結束しておく。
［ヘ］空気は皿にたまり、皿は軽くなって浮き上がる、反対側の皿は重いのて沈む、皿同士は結束されているので回転する。
［ト］一方の排出口の方であるが、皿は反転し空気は逃げるので、同じくパイプ状のもので空気取入れ口にドッキングさせて空気の流れに、、勢いをつける。よって回転体はより勢いよく、ぐるぐる回る。
［チ］浮体物の釣鐘様の皿はアルミが適当である。空気を回転させるには取入れ口に逆流したら空気は停滞してしまうので、排出パイプに小さな穴を空けておき余分な空気は逃がす
［リ］浮体物回転体のリングの上部には水を補給する蛇口を、下部には水を抜く蛇口を取り付ける。バッテリーは電気の使いやすいために、記載したものである。
［ヌ］回転体の空気受け皿の一部はバランスよく磁石を取り付け、もちろん空気受け皿と結束しておく、回転体の外側にはコイルを巻きバッテリーにつなぐ。
［ル］虫ゴム・水取入れ口の蛇口および水排出口の蛇口の取り付け部分は回転体に引っかからないようにするために、必要に応じ回転体から引込めて取り付ける。
から引っ込めて取り付ける。
［オ］磁石やコイルは水に濡れても良いようにコウテングが必要である。
【図２】
説明
［イ］海岸に浮体物発電機を設置するばあいは、水中はラッパ状の水取入れ口にして水を多く取入れ、細くなった取入れ口の水は勢い良く回転体の皿に吹付けるので皿はいきよいよく回転する。
打ち寄せる波を多く取入れる。水排出口は出来るだけ多い方が良い
［ロ］排出口には上部に穴を開け、穴は多い方が良い。穴の外側にはゴム状のものを貼り付け、打ち寄せる波には内側から圧力がかかるのでゴムカバーは開き引き潮のときはゴムの外側から圧力がかかるのでゴムカバーのふたは閉じる。よって回転体はぐるぐる回る。
［ハ］打ち寄せる波は強く厳しいほど良く、磁石やコイルにはコウテング必要であるばかりか水中であるので、漏電がないよう、よりしっかりとしたコウテングが必要である。
【０００６】  この発明により発電は発電所のように大規模な設備が必要と言う常識がなくなり家庭でも発電所がもてるというマイハツデン所という概念がうまれる。
また大規模な発電所つくるにしても燃料コストがかからないし石油等の資源争いも少しずつなくなる。又少しづつではあるが日本の赤字も減るだろう。
【図面の簡単な説明】
【０００７】
【図１】本発明の、陸上の発電機の、正面図である。
【図２】本発明の、水上の発電機の、正面図である。
【発明を実施するための形態】
【０００８】  中小企業に依頼するつもりである。
【符号の説明】
【０００９】［図１］の名称
１  風車
２  空気を逃がさないためのカバー。
３  空気を送るパイプ。
４  回転体がひっかからないようにするためのゆとりの空間と虫ゴムいれ水道の蛇口および水排出の蛇口。
５  浮体物回転体と空気受け皿。
６  結束クサリ
７  磁石
８  コイル
９  水いれ蛇口
１０  水抜き蛇口
１１  空気抜き穴
１２  一旦使用した空気を送るパイプ。
１３  空気抜
［図２］の名称
１  ラッパ式水取入れ口。
２  浮体物回転体と空気受け皿。
３  結束クサリ
４  磁石
５  コイル
６  水を受けた状態で開いた状態（ゴムカバーが）。
７  引き潮で閉まった状態（ゴムカバーが）。
８  水抜き穴
９  ゴムカバー
１０  バッテリー
【図１】
2016111900.tif 000003
【図２】
2016111900.tif 000004
(57)【要約】【課題】鉢植えの植物を室内に置く場合、鉢から排出される水で室内を汚さないため鉢の下に水受けの皿を敷く必要があった。そのため鉢から排出された水は皿に溜まり汚れを吸着して美観を損ね衛生的でもなかった。また皿に溜まった水により鉢の底が蒸れて病害の恐れもあった。【解決手段】鉢などの植物を植える器を空中に保持する事により器から排出する水を落下させ器の底に水が溜まるのを防ぐ。器の底が絶えず空気に触れているため蒸れることもなく病害の抑制となる。そして空中に保持した器の下に水を吸収する性質を持つブロックを置く事により器から落ちてきた水を受け止めその内部に速やかに吸収する。これにより水による汚を防ぎ美観が良くなり衛生的でもある。【選択図】図３
2016111959.tif 000002
【特許請求の範囲】
【請求項１】
吸水性のあるブロックの上に柱を立てその柱の上に植物を植える器を乗せる事を特徴とする植物栽培装置
【発明の詳細な説明】
【技術分野】
【０００１】
本発明は植物の室内での展示や栽培の改善に関するものである。
【背景技術】
【０００２】
従来技術では植物を室内で展示及び栽培する場合、移動可能なように植物を植木鉢などの器に植えられます。この場合植物に必要な水は植木鉢などの器の中の土に与えられます。土を通り抜けた水は植木鉢などの器の底に開けられた穴から排出されます。排出された水は周囲に垂れ流さないようにするため、植木鉢などの器の下に皿を敷き水を受け止める形態になっていました。
【０００３】
これにより排出された水は皿の中に溜まり、その水に異物が付着して皿を汚してしまい、見栄えが悪く衛生的では有りませんでした。
【０００４】
また皿に水が溜まることにより植木鉢などの器の底にある土が蒸れてしまい、植物の根などに病害を及ぼす懸念がありました。
【先行技術文献】
【特許文献】
【０００５】
【特許文献１】特許公開２０１４−８２９６１
【特許文献２】特許公開２００９−２４７３３６
【特許文献３】特許公開２００２−２３８３５９
【発明の概要】
【発明が解決しようとする課題】
【０００６】
解決しようとする問題点は、皿に溜まる水による汚れとそれによる衛生上の問題、またその水により蒸れることから発生する病害の問題。
【課題を解決するための手段】
【０００７】
本発明は、植木鉢などの器の下に水が溜まる皿を無くすため、植木鉢などの器自体を空中に浮かせてその下に適切な間隔を開け水を吸収する性質を持つ材料で作られたブロックを置く構造を主要な特徴とする。
【発明の効果】
【０００８】
植物を植えた植木鉢などの器を空中に浮かせることにより、植物に与えた水は植木鉢などの器の土を通り抜け、底の穴から下の空間に落下していきます。これにより水は器の底に溜まる事はなくなり蒸れによる病害が抑制されます。
【０００９】
空中に浮いた植木鉢などの器の下に適切な空間をあけ、水を吸収する性質の材料で作られたブロックを置くことにより、上から落ちてきた水をブロック上面で受け止めてその表面からその水を速やかに吸収させる。これにより水に付着する異物による汚れが無くなり衛生的でもある。
【００１０】
植木鉢などの器と下のブロックとの間には空間が有るため水は器に戻ることがない。
【００１１】
水を吸収するブロックを適切な大きさにすることにより吸収された水はブロック内にとどまりやがて蒸発してしまう。これによりブロックの周囲や底面は水により濡れることはなく室内を汚さない。
【図面の簡単な説明】
【００１２】
【図１】実施例の斜視図である。
【図２】実施例の垂直断面図である
【図３】実施例の水の流れを示す斜視図である
【発明を実施するための形態】
【００１３】
水を吸収する材質で作られたブロックの上面に柱を立てその上に植物を植える器を固定する。
【実施例】
【００１４】
図1は実施例の斜視図である。図2は図1の構造を示した垂直断面図である。
【００１５】
水を吸収する素材で作られたブロック５を土台としてその上面に柱４を立てる。
【００１６】
植物を植える器３を柱４の上に乗せる。そして器３と柱４は固定する。
【００１７】
器３の底には水が通るための穴６が開いており、柱４は穴６から出てくる水の流れを妨げないような状態で器３と固定されている。
【００１８】
器３に土２と共に植物１を植える。
【００１９】
図３は植物１に水８を与えた時にその流れる様子を示した斜視図である。
【００２０】
植物１に水やりをする場合、水を入れた容器７から土２の上面に水８をかける。水８は土２の中に染み込んでゆく。
【００２１】
土２に染み込んだ水は器３の底までくると穴６を通り器３の下に排出される。
【００２２】
排出された水は柱４に流れを妨げられることはないので水滴９となって下に落ちていく。または柱４の表面を伝って下に落ちてゆく。
【００２３】
このようにして落ちてきた水はブロック５の上面で受け止められる。その水はブロック５の上面に水の広がり１０を作りその面からブロック５の中に速やかに吸収されてゆく。
【００２４】
実施例の特徴をしめす。植物１を植えた器３は柱４により空中に保持されている。このため水やりをして器３に浸透して底まで来た水は穴６から下に落ちてしまい過剰な水が器３の底に溜まることはない。また器３の底は絶えず空気に触れており底が蒸れることもないので病害の発生が抑制される。また器３から下に落ちた水はブロック５が受け止めて速やかに吸収してしまうので水による汚れがない。そのため室内に実施例を置いたとき汚れがないため美観が良く衛生的でもある。
【産業上の利用可能性】
【００２５】
室内に植物を置く形態において、植物を植えた器の底に水が溜まる事を防ぎ、器の底が絶えず空気に触れているため蒸れが発生することもないので病害の発生を抑制できる。また排出される水を速やかにブロック内部に吸収してしまうので水が溜まって出来る汚れの心配が無く美観が良く衛生的でもある。消費者に以上のような利便性を提供できる。
【符号の説明】
【００２６】
１    植物
2    土
３    器
４    柱
５    ブロック
６    穴
７    水を入れた容器
８    水
９    水滴
１０    水の広がり
【図１】
2016111959.tif 000003
【図２】
2016111959.tif 000004
【図３】
2016111959.tif 000005
(57)【要約】【課題】太陽光の動線は予想可能でありシーケンサーによるステップ制御を採用。時系列的に太陽光の方向にパネルが向いて固定式に比べ、発電量が１２０％以上向上することを予測されるので、この実現を課題とする。【解決手段】パネル角度制御器８によりパネル駆動モーター７を制御し、パネル駆動モーター７の動力でパネル取付軸駆動螺旋５を回し、パネル軸駆動雌螺旋３はパネル取付軸駆動螺旋５に嵌め、パネル軸駆動雌螺旋３にはパネル角度牽引ワイヤー４が接続され、パネル角度牽引ワイヤー４にはパネル軸駆動誘導プーリー６が接続され、パネル取付軸駆動螺旋５の回転でパネル軸駆動雌螺旋３を移動させ、パネル軸駆動誘導プーリー６が回転し、太陽光パネル１が太陽光に追従する太陽光追尾式パネル架台を用いて実現した。【選択図】図２
2016111901.tif 000002
【特許請求の範囲】
【請求項１】
パネル角度制御器８によりパネル駆動モーター７を制御し、パネル駆動モーター７の動力でパネル取付軸駆動螺旋５を回し、パネル軸駆動雌螺旋３はパネル取付軸駆動螺旋５に嵌め、パネル軸駆動雌螺旋３にはパネル角度牽引ワイヤー４が接続され、パネル角度牽引ワイヤー４にはパネル軸駆動誘導プーリー６が接続され、パネル取付軸駆動螺旋５の回転でパネル軸駆動雌螺旋３を移動させ、パネル軸駆動誘導プーリー６が回転し、太陽光パネル１が太陽光に追従する太陽光追尾式パネル架台。
【発明の詳細な説明】
【技術分野】
【０００１】  本発明は、太陽光追尾パネルの回転駆動運動の稼動機構を有し、強風、積雪、ホコリを除去する機能を施した太陽光追尾パネル架台である。
【背景技術】
【０００２】従来は、太陽光をセンサーで察知し、パネル取付軸をギヤーで駆動させていたため強い風の力が加わるとギヤーの破損で停止する事故が多々起こっている。
また、逆回転防止にブレーキを必要としていた。
【先行技術文献】
【０００３】
【特許文献】
【特許文献】特開２０１２−１９５５４８
【発明の概要】
【発明が解決しようとする課題】太陽光の動線は予想可能でありシーケンサーによるステップ制御を採用。時系列的に太陽光の方向にパネルが向いて固定式に比べ、発電量が１２０％以上向上することを予測されるので、この実現を課題とする。
【課題を解決するための手段】
【０００４】パネル角度制御器８によりパネル駆動モーター７を制御し、パネル駆動モーター７の動力でパネル取付軸駆動螺旋５を回し、パネル軸駆動雌螺旋３はパネル取付軸駆動螺旋５に嵌め、パネル軸駆動雌螺旋３にはパネル角度牽引ワイヤー４が接続され、パネル角度牽引ワイヤー４にはパネル軸駆動誘導プーリー６が接続され、パネル取付軸駆動螺旋５の回転でパネル軸駆動雌螺旋３を移動させ、パネル軸駆動誘導プーリー６が回転し、太陽光パネル１が太陽光に追従する太陽光追尾式パネル架台を用いて実現した。
【発明の効果】
【０００５】図１のパネル取付軸２は、パネル駆動モーター７からの回転運動を雌螺旋にて直線運動に変換することによりパネルを取り付けた回転軸からの力がモーターに直接伝わらなくなりブレーキの必要がなくスムーズな追尾の動きが得られる。メンテナンスも容易になりシステム全体で耐久性、安全性、超寿命化を図っている。
【図面の簡単な説明】
【０００６】
【図１】太陽光パネル設置状態
【図２】パネル枠駆動構成図
【発明を実施するための形態】
【０００７】図１にある太陽光パネル１、パネル取付軸２からなる太陽光追尾式パネル架台である。日の出から日の入りまで追尾する機能を有する。季節により変化する仰角は、手動で容易に変更をすることができる。
【０００８】パネル取付軸駆動螺旋５の中央に雌螺旋を配し、パネル駆動モーター７により回転させる。パネル駆動モーター７による回転運動をパネル軸駆動雌螺旋３により左右に動きを発生ささる。
【０００９】パネル軸駆動雌螺旋３により変換された左右の直線運動、パネル軸駆動雌螺旋３からパネル角度牽引ワイヤー４を介しパネル軸駆動誘導プーリー６の両肩にある端子ＥＬ、端子ＷＬ、端子  ＥＲ、端子  ＷＲにそれぞれパネル角度牽引ワイヤー４を接続させ、太陽光パネル１を太陽に向かって回転させる。
【００１０】パネル軸駆動誘導プーリー６の左右４点（端子ＥＬ、端子ＷＬ、端子  ＥＲ、端子  ＷＲ）をパネル軸駆動雌螺旋３に接続することにより風雪害に対する太陽光パネル１の回転ブレーキもなくすことができる。これにかかわるパネル角度制御器８に内蔵したシーケンサー、モーター制御インバーターにより行うものとする。
【符号の説明】
【００１１】１太陽光パネル
２パネル取付軸
３パネル軸駆動雌螺旋
４パネル角度牽引ワイヤー
５パネル取付軸駆動螺旋
６パネル軸駆動誘導プーリー
７パネル駆動モーター
８パネル角度制御器
【図１】
2016111901.tif 000003
【図２】
2016111901.tif 000004
(57)【要約】      （修正有）【課題】サーフボードや釣竿等の長尺物を安全に運搬することができ、転倒や接触事故防止に寄与することができる自転車を提供する。【解決手段】サーフボード、釣竿等長尺物を自転車の中心部付近に積載できるようフレームの間に長尺物を通せるような構造を有し、該長尺物を安定させるためのフックもしくは受け皿等をフレームに固定する。これにより長尺物を積載した状態で法令を遵守し、運転に支障なく安全に走行が可能となる。【選択図】図１
2016107960.tif 000002
【特許請求の範囲】
【請求項１】
フレーム内に長尺物を通す構造を有すことを特長とし、長尺物を積載した状態で運転に支障なく、安全に走行が可能な自転車。
【請求項２】
フレーム内に長尺物を通す構造を有すことを特長とし、その長尺物を安定させるための固定具を有した自転車。
【発明の詳細な説明】
【技術分野】
【０００１】  本発明はサーフボード、釣竿等長尺物を運ぶ際、安全な状態で自走し目的地に行くため、フレーム内に長尺物等を通す構造を有した自転車である。
【背景技術】
【０００２】  自転車にサーフボード等長尺物を積載して運搬するためには、Ｕ字型のアタッチメントを市販の自転車に取り付け、それに長尺物を積載し、ゴムバンド等により固定して走行しているが、アタッチメント取り付け側の足つきが悪いため転倒事故の危険性も高く、アタッチメントが車体から大きく張り出しており、歩行者や自動車等と接触事故等を起こしやすく危険な走行状態である。【０００３】  また、アタッチメントを取り付けた状態において道路交通法施行規則における幅の制限をこえている違法改造ともいえる状態の自転車が多数走行している。【０００４】  この他にも、片手でサーフボード、釣竿等長尺物を持って、片手運転をしている危険なケースも見受けられる。
【発明の概要】
【発明が解決しようとする課題】
【０００５】  サーフボード、釣竿等の長尺物を自転車の中心部分近くに積載することができれば、側面部位に張り出すこともなく、足つきにも支障をきたさないが、現在市販されている自転車のフレーム構造でその積載方法は不可能であった。
【課題を解決するための手段】
【０００６】  本発明者は、前記した通りサーフボード、釣竿等長尺物を自転車の中心部付近に積載できるようフレームの間に長尺物を通せるような構造を有し、下図のようにその長尺物を安定させるためのフックもしくは受け皿等がフレームに固定されていることを特徴としており、長尺物を積載した状態で法令を遵守し、運転に支障なく安全に走行が可能である自転車。
【発明の効果】
【０００７】  本発明のような構造を有した自転車は、サーフボードや釣竿等の長尺物を安全に運搬することができるため、転倒や接触事故防止に寄与することができる。【０００８】  海岸周辺地域では、サーフィンに自転車で行くため、前記のように幅制限をこえてＵ字型のアタッチメントを自転車に取り付け、サーフボードを積載し走行していたり、魚釣りに自転車で行くため釣竿やタモ網等を手で持ったまま走行している姿をよく見かけるが、これは非常に危険であり、道路交通法違反でもあった。本発明においてはこのような危険運転を予防することができる。【０００９】  自転車は環境にも優しく、生活に密着し、手軽に活用できる便利な乗り物であるが、一歩間違えば危険な凶器にもなりかねない。昨今、自転車の接触による痛ましい事故のニュースを耳にすることが多くなった。自転車は車両であり、交通ルールを守りながら運転しなければならないため、環境と安全について両方の観点からも本発明のような自転車が必要となる。
【図面の簡単な説明】
【００１０】
【図１】サドル下に積載する場合におけるフレームと固定具について示す。
【００１１】
【図２】サドル下に積載する場合における積載状態を示す。
【００１２】
【図３】サドル後方に積載する場合における積載状態の一例を示す。
【００１３】
【図４】サドル後方に積載する場合における積載状態の一例を示す。
【発明を実施するための形態】
【００１４】  サーフボード、釣竿等長尺物を自転車の中心部付近に積載できるようフレームの間に長尺物を通せるような構造を有し、その長尺物を安定させるためのフックもしくは受け皿等がフレームに固定されていることを特徴としている。
【００１５】  ［図２］において示した積載状態で走行したところ、足つきも良好で、通常と同様安全に走行することができた。
【００１６】  また、自転車の大きさは法律の遵守を考慮し、道路交通法施行規則（昭和３５年総理府令第６０号）第９条の２で規定されている、長さ１９０センチメートル、幅６０センチメートル以内とした。
【実施例】
【００１７】  １．デザインを作成
２．試作車を製作
３．試験走行を実施
【図１】
2016107960.tif 000003
【図２】
2016107960.tif 000004
【図３】
2016107960.tif 000005
【図４】
2016107960.tif 000006
(57)【要約】      （修正有）【課題】雪道用にタイヤをキャタピラに交換する際、タイヤと違い車のステアリングにも接続する必要があったが、これをタイヤと同じようにボルト接続のみで取り付けられるようにした。【解決手段】３つのホイール２の中心１に回転軸を置き、ギヤ又はチェーンで動力を外側のホイール２に伝えキャタピラを動かす。その際３つのホイール全体が稼働するようになっているためステアリングへの固定の必要がない。【選択図】図１
2016107957.tif 000002
【特許請求の範囲】
【請求項１】
３つのホイール（２）の中心（１）に回転軸の中心を置き、外側のホイールに動力を伝えキャタピラを動かす。
【請求項２】
段差などがあった場合、キャタピラだけでなく３つのホイールごと回転する。
【請求項３】
（７）の部分を車のホイールボルトに直接取り付ける。
【発明の詳細な説明】
【技術分野】
【０００１】この発明は、車にクローラーを取り付ける際ステアリング部分と接続せず、直接タイヤを取り付けるようにボルト接続のみで装着するものである。
【背景技術】
【０００２】従来、車にクローラーを装着する際は車体のステアリング又は本体部と必ず接続しなければならなかった。
【先行技術文献】
【０００３】
【発明の概要】
【発明が解決しようとする課題】
【０００４】これは次のような欠点があった
雪道を走るために車のタイヤとクローラーを交換する際にクローラーのホイール部分の可動を抑えるために車体のステアリングもしくは車体の一部にも接続しなければならずタイヤとの交換の際に自動車工場などで行わなければならなかった。
本発明は、以上の様な欠点をなくすためになされたものである。
【課題を解決するための手段】
【０００５】クローラー部分の回転軸を三角形のクローラーの中心（１）に置き最初からクローラー本体も回転するようにした。
【発明の効果】
【０００６】タイヤ交換などと同じように車にボルトで止めるだけで装着できるようになった。
【図面の簡単な説明】
【０００７】
【図１】  本発明の側面図である
【図２】  本発明の側面図で回転方法である。
【図３】  本発明の車体への取り付け方法である。
【図４】  本発明の側面から見た取り付け図である。
【図５】  本発明の斜視図である。
【発明を実地するための形態】
【０００８】以下、本発明を実地するための形態について説明する。
図１のＡ、Ｂともに１の部分が（１）の部分が回転軸の中心になり、ＡがギヤでＢがチェーンで外側の（２）のホイールに動力を伝え（３）のキャタピラを動かす。
段差などがあった時キャタピラだけでなく図２のように（２）のホイール３つとキャタピラ全体が回転する。
車には図３の（６）のホイールボルトを（７）の穴に差し込んでナットで閉める。図４が取り付け後の状態（図はＦＦ車の場合、４ＷＤは同様にして後輪にもつける。）
【符号の説明】
【０００９】１    回転軸の中心
２    ホイール
３    キャタピラ（履帯）
４    ギヤ
５    チェーン
６    ホイールハブから出ているホイールボルト
７    ホイールボルトを入れるための穴
【図１】
2016107957.tif 000003
【図２】
2016107957.tif 000004
【図３】
2016107957.tif 000005
【図４】
2016107957.tif 000006
【図５】
2016107957.tif 000007
(57)【要約】【課題】  雨に濡れた折りたたみ傘は、傘をたたんで手に持つかビニール袋に入れなくてもすむアンブレラ水切りケースを提供する。【解決手段】  全面に無数のパンチング孔を設けたパンチングパネルを用意し、折りたたみ傘がすっぽり入る径と長さの縦筒状を形成し、この筒の底端から、約１ｃｍ程上方に昇った辺りに筒底を設け、これを水抜き筒と称し、この水抜き筒の周壁をぐるりと取り囲む筒状容器即ち水抜き筒収納容器を形成し、水抜き筒を水抜き筒収納容器にセットすることを特徴とするアンブレラ水切りケース。【選択図】図１
2016107032.tif 000002
【特許請求の範囲】
【請求項１】
全面に無数のパンチング孔を設けたパンチングパネルを用意し、折りたたみ傘がすっぽり入る径と長さの縦筒状を形成し、この筒の底端から、約１ｃｍ程上方に昇った辺りに筒底を設け、これを水抜き筒と称し、この水抜き筒の周壁をぐるりと取り囲む筒状容器即ち水抜き筒収納容器を形成し、水抜き筒を水抜き筒収納容器にセットすることを特徴とするアンブレラ水切りケース。
【発明の詳細な説明】
【技術分野】
【０００１】  本発明は、雨に濡れた折りたたみ傘を入れるアンブレラ水切りケースに関するものである。
【背景技術】
【０００２】  従来、雨に濡れた折りたたみ傘は、傘をたたんで手に持つかビニール袋に入れてバッグなどに入れていた。
【発明の概要】
【発明が解決しようとする課題】
【０００３】  そのために次のような問題点がある。
雨に濡れた折たたみ傘をたたんだとき、しずくがたれる。
本発明は、これらの問題点を解決するためになされたものである。
【課題を解決するための手段】
【０００４】  全面に無数のパンチング孔を設けたパンチングパネルを用意し、折たたみ傘がすっぽり入る径と長さの縦筒状を形成し、この筒の底端から、約１ｃｍ程上方に昇った辺りに筒底を設ける。
これを水抜き筒と称し、この水抜き筒の周壁をぐるりと取り囲む筒状容器即ち水抜き筒収納容器を形成し、水抜き筒を水抜き筒収納容器にセットする。
以上の構成よりなるアンブレラ水切りケース。
【発明の効果】
【０００５】  従来、雨に濡れた折たたみ傘は、たたんで手に持つなどしていたがアンブレラ水切りケースに入れてバッグなどに入れられるようになって手があくようになる。
また、水抜き筒が取り外しができて、水抜き筒収納容器の中を乾かせるし、容器の中も見えて水抜き筒収納容器とキャップがワイヤーでつながっているので落ちることがない。
【図面の簡単な説明】
【０００６】
【図１】  本発明の平面図である。
【発明を実施するための形態】
【０００７】  以下、本発明の実施の形態について説明する。
全面に無数のパンチング孔（１）を設けたパンチングパネルを用意し、折りたたみ傘がすっぽり入る径と長さの縦筒状を形成し、この筒の底端から、約１ｃｍ程上方に昇った辺りに筒底（２）を設ける。
これを水抜き筒（３）と称し、この水抜き筒（３）の周壁をぐるりと取り囲む筒状容器即ち水抜き筒収納容器（４）を形成し、水抜き筒（３）を水抜き筒収納容器（４）にセットする。
本発明は以上のような構成である。
本発明を使用するときは、雨に濡れた折りたたみ傘を、水抜き筒収納容器（４）の中に入れてキャップ（５）を閉めて、折りたたみ傘からたれるしずくをパンチング孔（１）を通して水抜き筒収納容器（４）の底などに溜まる。
【符号の説明】
【０００８】１  パンチング孔
２  筒底
３  水抜き筒
４  水抜き筒収納容器
５  キャップ
【図１】
2016107032.tif 000003
(57)【要約】【課題】屋外において物干し竿で洗濯物を干す場合、降雨への心配は付き物であり、外出時の降雨や天候の急変等への対応技術はほとんどなく、対策に苦慮することが多々あった。本考案は、従来の物干し竿に簡単に設置できる降雨対策器を提供するものである。【解決手段】防水シート（４）保持のためのアーチ状のフレーム（１）の中央に、物干し竿への固定用のクリップ（２）、フレーム両端に防水シート保持のためのクリップ（３）を装備する。物干し竿（５）に本器具を複数装着し、防水シートをフレーム（１）の両端のクリップ（３）に挟み込むことにより、ビニールハウス状の「雨よけ」を形成する。【選択図】図２
2016107037.tif 000002
【特許請求の範囲】
【請求項１】
降雨対策の防水シートを物干し竿に設置することを目的とした、物干し竿への固定用クリップならびに防水シート保持用クリップを備えた、物干し竿設置用の防水シート保持装置。
【発明の詳細な説明】
【技術分野】
【０００１】本発明は、洗濯物を屋外に干す際の降雨対策用としての、物干し竿に装着する降雨対策器に関するものである。
【背景技術】
【０００２】従来、洗濯物を屋外に干す場合、降雨に対する心配は付き物であり、外出時の降雨や天候の急変等への対応技術はほとんどなく、対策に苦慮することが多々あった。
【発明の開示】
【発明が解決しようとする課題】
【０００３】従来、急な降雨への対応として室内や軒下に洗濯物を干すなど対策が採られてきたが、これでは洗濯物の乾きも遅く、また太陽光による殺菌等の効果も十分に得られなかった。本発明は「天候の変化への心配」という課題を解決しようとするものである。
【課題を解決するための手段】
【０００４】本発明は、降雨対策の防水シート（４）を物干し竿（５）に装着するための器具である。防水シート保持のためのアーチ状のフレーム（１）の中央に、物干し竿への固定用のクリップ（２）、フレーム両端に防水シート保持のためのクリップ（３）を装備する。物干し竿に本器具を複数装着し、防水シートをフレーム（１）の両端のクリップ（３）に挟み込むことにより、ビニールハウス状の「雨よけ」を形成する。
【発明の効果】
【０００５】本発明により、天候の変化をあまり気にせず洗濯物を屋外に干すことができる。小雨の場合は干したままの状態で置くことができ回収・再度展開等の手間を省くことができ、大雨の場合は、回収中に濡れることを抑止できる等の効果がある。また、防水シートを紫外線カットのものにすれば、洗濯物の色あせ防止になるなど、ほかの用途への利用も期待できる。
【図面の簡単な説明】
【０００６】
【図１】本発明の、物干し竿装着用降雨対策器の正面図である。
【図２】本発明の、物干し竿装着用降雨対策器を物干し竿に装着し、防水シートをクリップに装着した実施例である。
【図３】本発明の実施例のイメージ（斜視図）である。
【符号の説明】
【０００７】１  防水シート保持のためのアーチ状のフレーム
２  物干し竿への固定用クリップ
３  防水シート保持用クリップ
４  防水シート
５  物干し竿
【図１】
2016107037.tif 000003
【図２】
2016107037.tif 000004
【図３】
2016107037.tif 000005
(57)【要約】      （修正有）【課題】男性が小便器を使用する際、尿拭き取りの備品は何処にも一切配置されていないので、下着の汚れは避けられない。この不快感を軽減させる事ができる尿拭き取りペーパー、及び、尿拭き取りペーパー専用汚物入れを提供する。【解決手段】小便器の横に尿拭き取りペーパーと、専用の、投入口を貯金箱状にした尿拭き取りペーパー専用汚物入れを配置する。小便器使用者は右手で同ペーパーをつまんで尿を拭き取り、尿拭き取りペーパー専用汚物入れに投入する。この汚物投入口は、５００円玉貯金箱のコイン投入口を若干大きくした程度の穴なので、臭いの拡散を抑えられる。又、汚物は本体下部の集積ボックスに蓄積する。【選択図】図１
2016107033.tif 000002
【特許請求の範囲】
【請求項１】
丸い厚手の紙に布を貼り付けた男性用尿拭き取りペーパー
【請求項２】
投入口を貯金箱状にした男性用尿拭き取りペーパー専用汚物入れ
【発明の詳細な説明】
【技術分野】
【０００１】  本発明は、丸い厚手の紙に布を貼り付けた男性用尿拭き取りペーパー、及び、投入口を貯金箱状にした尿拭き取りペーパー専用汚物入れに関する物である。
【背景技術】
【０００２】  男性が小便器を使用する際、尿を拭き取る為の備品が一切無かった。
【発明の概要】
【発明が解決しようとする課題】
【０００３】  男性が小便器にて排尿後、下着への尿の付着が避けられない。この不快感を解決しようとするものである。
【課題を解決するための手段】
【０００４】  本発明は、コイン状の厚手の紙に布を貼り付け、男性用尿拭き取りペーパーとし、さらに同ペーパー専用の、投入口を貯金箱状にした汚物入れを使用して頂く事により問題点を解決している。
【発明の効果】
【０００５】  男性で下着の汚れが気になる方に、役立つ発明であり、本発明の普及により外出先での下着の汚れが軽減するのではないかと期待できる。
【図面の簡単な説明】
【０００６】
【図１】  本発明の尿拭き取りペーパー専用汚物入れの斜面図である。
【図２】  本発明の汚物入れの側面図である。
【図３】  同汚物入れの引き出しの後方図である。
【図４】  同汚物入れの引き出し専用汚物集積ボックスの斜面図、及び、折りたたみ図である。
【図５】  本発明の男性用尿拭き取りペーパーの上面図である。
【発明を実施するための形態】
【０００７】  以下、本発明の実施の形態を図１〜図５に基づいて説明する。
【０００８】  図において１は耐久性プラスチック等適宜素材にて形成された本発明の汚物入れ本体。２は取り外し可能な上蓋で、投入口は貯金箱状。３は尿拭き取りペーパー用容器で、本体とマグネットで吸着されていて、取り外し可能。本体の水洗いの際、取り外した方が便利。４は使い捨て汚物集積ボックスの取り換え用引き出し。
【０００９】  ５は尿拭き取りペーパー用容器と本体を吸着させるマグネット。
【００１０】  ６は使い捨て汚物集積ボックスで、引き出しにセットする。
【００１１】  ７は５００円玉サイズの厚手の紙。８は１０円玉サイズの布。
【００１２】  以下、本発明の実施の形態を、小便器使用者、小便器管理者、双方から観た取扱い方法を説明する。
【００１３】  小便器管理者は、図５の尿拭き取りペーパーを図１の３の同ペーパー用容器に布面を下にして数十枚程度セットする。なぜ布面を下にするかというと、使用者が右手指でペーパーを自然につまんだ時、布面が手前にくるので、裏返さなくても良いからである。次に管理者は、使い捨て汚物集積ボックスを広げ、本体引き出しにセットする。
【００１４】  小便器使用者は右手でペーパーをつまんで尿を拭き取る。そして、同汚物入れに投入する。
【００１５】  管理者は、汚物量を確認し、ボックスの半分程度の集積を目安とし、集積ボックスを取り出し、上部を閉じ、ゴミ箱へ処分する。
【００１６】  同汚物入れは、水洗い可能。３のペーパー用容器を取り外し、水洗いする。
上蓋を取り外し、内部も水洗い可能。
【符号の説明】
【００１７】１  尿拭き取りペーパー専用汚物入れ本体
２  同汚物入れ上蓋
３  尿拭き取りペーパー用容器
４  汚物集積ボックス用引き出し
５  同ペーパー用容器と本体を吸着させるマグネット
６  使い捨て汚物集積ボックス
７  ５００円玉サイズの厚紙
８  １０円玉サイズの同ペーパー専用布
【図１】
2016107033.tif 000003
【図２】
2016107033.tif 000004
【図３】
2016107033.tif 000005
【図４】
2016107033.tif 000006
【図５】
2016107033.tif 000007
(57)【要約】【課題】    挟む部分を開閉するためのつまみが無くて全体の厚さも小さくて、紙を綴じたときにかさばりにくく、取り付け道具も不要ではずれにくいようにしっかりと挟めるクリップを提供する。【解決手段】    コの字状のクリップ本体の後方に左右両端に切り欠きがついた背板を有し、背板から上下各々に２枚の挟み板が前方の挟み口で合わさるように取り付け、それぞれの挟み板には背板から挟み口に向けて横幅が緩やかに狭まっていくようなガイド部を左右両側に設けたことを特徴とするクリップ。【選択図】図４
2016107605.tif 000002
【特許請求の範囲】
【請求項１】
コの字状のクリップ本体の後方に左右両端に切り欠きがついた背板を有し、背板から上下各々に２枚の挟み板が前方の挟み口で合わさるように取り付け、それぞれの挟み板には背板から挟み口に向けて横幅が緩やかに狭まっていくようなガイド部を左右両側に設けたクリップ。
【発明の詳細な説明】
【技術分野】
【０００１】  本発明は、挟む部分を開閉するためのつまみが無くて紙を挟むことができるクリップに関するものである。
【背景技術】
【０００２】  従来のクリップは紙に挟む部分を開閉させるためのつまみを指でつまんで取り付けるか、ぜんまい状に巻いた線状のばねを指で開いて挟みこむか、コの字状をした板状のばねを専用の取り付け道具を使用して、スライドさせることにより挟む部分を開いて挟みこむ方式であった。
【先行技術文献】
【特許文献】
【０００３】
【特許文献１】特開２００１−１０５７７３号公報
【発明の概要】
【発明が解決しようとする課題】
【０００４】  そのために、次のような問題点があった。
指でクリップを開閉させるためのつまみをつまんで取り付ける方式だと、紙を綴じたときにつまみの部分が紙からはみ出す等して、邪魔になるうえに全体の厚さも比較的大きくなるためにかさばって、重く特に複数の書類の束があるときなどは保管するときに不便であった。また、ぜんまい状に巻いた線状のばねでは挟む力が小さくて、紙がはずれやすく、専用の取り付け道具を使用する方式では、使用するたびにいちいちクリップを入れた道具を用意しなくてはならなかった。
本発明は以上の問題点を解決しようとするものである。
【課題を解決するための手段】
【０００５】  コの字状のクリップ本体の後方に左右両端に切り欠きがついた背板を有し、背板から上下各々に２枚の挟み板が前方の挟み口で合わさるように取り付け、それぞれの挟み板には背板から挟み口に向けて横幅が緩やかに狭まっていくようなガイド部を左右両側に設ける。
以上の構成よりなるクリップである。
【発明の効果】
【０００６】  本発明は、クリップを開閉させるためのつまみの無い簡単な構造であるために板材のプレス加工等によって他の一般的なクリップよりも安価に製造でき、専用の取り付け道具も必要なくて、クリップ本体を回しながら押し込むだけで、紙をはずれにくいようにしっかりと挟んで綴じることができる。さらに、つまみ部分が紙からはみ出す等して邪魔にならないうえに、薄い板状で軽量であり全体の厚さも小さいために、束ねた紙を保管するときにもかさばりにくい。
【図面の簡単な説明】
【０００７】
【図１】本発明の平面図
【図２】本発明の正面図
【図３】本発明の図２Ａ−Ａ線断面図
【図４】本発明の使用前の状態を示す斜視図
【図５】本発明の使用中の状態を示す斜視図
【図６】本発明の使用後の状態を示す斜視図
【発明を実施するための形態】
【０００８】  以下、本発明の実施の形態を説明する。
（イ）図１に示すようにコの字状のクリップ本体（１）の後方には左右の両端に切り欠き      （４）のついた背板（３）があり、背板（３）には上下各々に２枚の挟み板（５）      が前方の挟み口（２）で合わさるように取り付ける。
（ロ）図２に示すように挟み板（５）の左右両側には後方から前方の挟み口（２）に向け      て横幅が緩やかに狭まっていくように紙（Ｐ）に対するガイド部（６）を設ける。
（ハ）コの字状のクリップ本体（１）は弾力性があって、挟み口（２）とガイド部（６）      には紙（Ｐ）を挟む側と反対側に向けて反り（７）をつける。
（ニ）挟み口（２）とガイド部（６）の反り（７）の代わりに合成樹脂等で作られた被膜      を取り付けていてもよい。
本発明は、以上の構成よりなっている。
本発明をクリップとして使用するときは、図４に示すようにコの字状のクリップ本体（１）を紙（Ｐ）の縁に対して横にして、背板（３）に設けられた切り欠き（４）に紙（Ｐ）を挿入する。次に図５に示したようにクリップ本体（１）を指等でつまんで挟み口（２）を紙（Ｐ）の方向に回しながら押し込むことにより、ガイド部（６）が紙（Ｐ）によって押し広げられて、図６のように挟み口（２）にその紙（Ｐ）をはずれにくいようにしっかりと挟むことができる。
【符号の説明】
【０００９】    １  コの字状のクリップ本体
２  挟み口
３  背板
４  切り欠き
５  挟み板
６  ガイド部
７  反り
Ｐ  紙
【図１】
2016107605.tif 000003
【図２】
2016107605.tif 000004
【図３】
2016107605.tif 000005
【図４】
2016107605.tif 000006
【図５】
2016107605.tif 000007
【図６】
2016107605.tif 000008
(57)【要約】【課題】従来、ＴＩＧ溶接作業にて手溶接を行なう場合、溶加棒を指先の感覚にて送り込んでいる為、良好な溶接をするには一定のスピードで正確且つ安定的に溶加棒を供給する必要が有り、その為には、熟練を必要とし又繊細な作業の為、作業時のストレスが大きい。  本発明は、以上の問題点を解決し、簡単且つ効率良くＴＩＧ溶接作業が行なえる、溶加棒送り器具を提供する。【解決手段】把手の先に、弾性を有する回転体を設け、その先端両側にガイドを設けたことを特徴とする溶加棒送り器具。【選択図】図１
2016107331.tif 000002
【特許請求の範囲】
【請求項１】
把手の先に，弾性を有する回転体を設け、その先端両側にガイドを設けた溶加棒送り器具。
【発明の詳細な説明】
【技術分野】
【０００１】  本発明は、ＴＩＧ溶接にて手溶接時に使用する溶加棒を、簡単且つ正確に送り出す事が、出来るようにした器具に関するものである。
【背景技術】
【０００２】  従来、ＴＩＧ溶接トーチを支持した別の手の平に溶加棒を置き、指でスライドすることにより溶加棒を送り込んでいました。
【先行技術文献】
【特許文献】
【０００３】
【特許文献１】  特開平９−１４１４３５
【特許文献２】  特開２００７−３１３５６０
【発明の概要】
【発明が解決しようとする課題】
【０００４】  従来は溶加棒を、指先の感覚で送り込んでいる為、良好な溶接をするには一定のスピードで正確且つ安定的に溶加棒を供給する必要が有り、その為には、熟練を必要とし又繊細な作業の為、作業時のストレスが大きい。
本発明は、以上の問題点を解決するためになされたものである。
【課題を解決するための手段】
【０００５】  把手の先に、弾性を有する回転体を設け、その先端両側にガイドを設ける。
以上の構成よりなる溶加棒送り器具。
【発明の効果】
【０００６】  弾性を有する回転体を指で回す事により溶加棒を正確且つ安定的に送り込めるので、簡単且つ効率良くＴＩＧ溶接作業ができる。
【図面の簡単な説明】
【０００７】
【図１】  本発明の平面図
【図２】  本発明の使用状態を示す平面図
【図３】  本発明の切断側面図
【図４】  本発明の使用状態を示す切断側面図
【発明を実施するための形態】
【０００８】  以下、本発明の実施の形態を説明する。
（イ）把手（４）の先に弾性を有する回転体（３）を設け、その先端両側に、ガイド（１）ガイド（２）を設ける。
（ロ）溶加棒（６）を挿入時、ガイド（１）ガイド（２）弾性を有する回転体（３）は、常に溶加棒（６）と接触状態の位置にあり、弾性を有する回転体（３）の応力により溶加棒（６）をガイド（１）ガイド（２）に押し当てる状態となり結果、溶加棒（６）を、固定する事となる。［図２］［図４］
この状態にて、回転体（３）を指先で回転させれば、回転方向に溶加棒（６）を弾性を有する回転体（３）のグリップ力にて、結果送り出すことが可能となる。
【符号の説明】
【０００９】１ガイド、２ガイド、３弾性を有する回転体、４把手、５回転軸、６溶加棒
【図１】
2016107331.tif 000003
【図２】
2016107331.tif 000004
【図３】
2016107331.tif 000005
【図４】
2016107331.tif 000006